(57)【特許請求の範囲】
【請求項１】
コンロ本体の前面パネルに、コンロ本体に設置したガスバーナの点消火操作を行う押しボタンを備えるガスコンロであって、
押しボタンは、前面パネルに開設した透孔に臨むボタン本体部と、前面パネルの背面側で前面パネルに軸支される軸部とを有し、ボタン本体部がガスバーナを消火する非押し込み位置とガスバーナに点火する押し込み位置との間で軸部を支点として前後方向に円弧運動するようにしたものにおいて、
前記軸部が前記ボタン本体部より下方に設けられていることを特徴とするガスコンロ。
【請求項２】
前記前面パネルに、前記押しボタンの配置部より下方に位置させて、前面パネルの前方に出没自在な操作盤が組み込まれていることを特徴とする請求項１記載のガスコンロ。
【請求項３】
前記ボタン本体部が非押し込み位置に存する状態では、ボタン本体部の前面が前記透孔の周囲の前記前面パネルの部分の前面とほぼ面一になり、ボタン本体部の前面の一部に斜め上向きに傾斜した指当て部が形成されていることを特徴とする請求項１又は２記載のガスコンロ。
【発明の詳細な説明】
【技術分野】
【０００１】
本発明は、コンロ本体の前面パネルに、コンロ本体に設置したガスバーナの点消火操作を行う押しボタンを備えるガスコンロに関する。
【背景技術】
【０００２】
従来、この種のガスコンロに用いる押しボタンは、前面パネルに開設した透孔に臨むボタン本体部と、前面パネルの背面側で前面パネルに軸支される軸部とを有し、ボタン本体部がガスバーナを消火する非押し込み位置とガスバーナに点火する押し込み位置との間で軸部を支点として前後方向に円弧運動するようにした鍵式のものに構成されている(例えば、特許文献１、特許文献２参照)。
【０００３】
尚、押しボタンを、前面パネルに設けた筒状のガイド内で直線的に動く直動式に構成するものも知られている(例えば、特許文献３参照)。然し、このものでは筒状ガイドに対する押しボタンのこじりを生じて押しボタンが非押し込み位置に復帰しなり、ガスバーナを消火できなくなる虞がある。そこで、操作の確実性を担保するため、一般的には上記の如く鍵式の押しボタンを用いている。
【０００４】
ここで、従来の鍵式の押しボタンは、軸部をボタン本体部より上方に設けている。また、押しボタンを操作する際は、コンロの設置高さの関係で、使用者が指をボタン本体部の前面に斜め上方から押し当てるため、ボタン本体部の前面を斜め上向きの傾斜面に形成している。然し、ボタン本体部を非押し込み位置から押し込むと、ボタン本体部より上方の軸部を支点にした円弧運動によりボタン本体部の前面の角度が鉛直方向に近付き、指が滑りやすくなって、ボタン本体部を押し込み位置まで押し切れなくなることがある。
【０００５】
また、ボタン本体部の押し込み位置で指が滑ることを防止するため、ボタン本体部の前面の角度を水平方向に近付けることも考えられるが、これではボタン本体部の下部が前面パネルの前方に大きく突出してしまい、コンロ前面が煩雑な感じになって体裁を損なう。
【０００６】
また、温調機能や調理タイマ機能等の各種機能を有するコンロにおいては、コンロ本体の前面パネルに、押しボタンの配置部より下方に位置させて、前面パネルの前方に出没自在な操作盤を組み込み、操作盤に各種機能の選択や設定を行う各種操作スイッチと表示部とを配置することがある。この場合、前面パネルの前方へのボタン本体部の突出量が上記の如く大きくなると、操作盤を前面パネルの前方に突出させても操作盤が広範囲に亘って押しボタンの下に隠れ、操作盤の操作性が悪くなる。
【特許文献１】特公平７−３９８６９号公報
【特許文献２】特開平８−３２０１２０号公報
【特許文献３】実用新案登録第２５６６９７９号公報
【発明の開示】
【発明が解決しようとする課題】
【０００７】
本発明は、以上の点に鑑み、押しボタンを確実に押し込み位置まで押し操作でき、且つ、非押し込み位置における押しボタンの前面パネルからの突出量を可及的に小さくできるようにした操作性及び外観性に優れたガスコンロを提供することをその課題としている。
【課題を解決するための手段】
【０００８】
上記課題を解決するために、本発明は、コンロ本体の前面パネルに、コンロ本体に設置したガスバーナの点消火操作を行う押しボタンを備えるガスコンロであって、押しボタンは、前面パネルに開設した透孔に臨むボタン本体部と、前面パネルの背面側で前面パネルに軸支される軸部とを有し、ボタン本体部がガスバーナを消火する非押し込み位置とガスバーナに点火する押し込み位置との間で軸部を支点として前後方向に円弧運動するようにしたものにおいて、前記軸部が前記ボタン本体部より下方に設けられていることを特徴とする。
【０００９】
本発明によれば、ボタン本体部は、非押し込み位置からの押し操作により、下方の軸部を支点にして後方に倒れるように動き、ボタン本体部の前面の鉛直方向に対する角度が大きくなる。そのため、ボタン本体部の前面下部を前方に大きく突出させなくても、ボタン本体部を指の滑りを生ずることなく確実に押し込み位置まで押し込んでガスバーナに点火できる。従って、非押し込み位置におけるボタン本体部の前面パネルからの突出量を小さくして、コンロ前面をスッキリした感じにすることができ、体裁が良好になる。
【００１０】
また、このようにボタン本体部の前面パネルからの突出量を小さくできるため、前面パネルに、押しボタンの配置部より下方に位置させて、前面パネルの前方に出没自在な操作盤が組み込まれている場合、操作盤の突出状態で押しボタンの下に隠れる操作盤の範囲が少なくなり、操作盤の操作性が良好に確保される。
【００１１】
更に、本発明では、ボタン本体部の前面が鉛直面であっても、押し込み操作に伴いボタン本体部の前面の鉛直方向に対する角度が大きくなるため、指の滑りは生じない。従って、ボタン本体部が非押し込み位置に存する状態でボタン本体部の前面が透孔の周囲の前面パネルの部分の前面とほぼ面一になるようにすることも可能になる。このようにボタン本体部の前面と前面パネルの前面とを面一にすれば、押しボタンと前面パネルとの連続感が得られ、体裁が一層良好になる。尚、非押し込み位置でボタン本体部の前面が全面に亘って鉛直であると、非押し込み位置でボタン本体部の前面に斜め上方から指を押し当てたときに指が滑る可能性がある。この場合、ボタン本体部の前面の一部に斜め上向きに傾斜した指当て部が形成されていれば、指が滑ることを防止できる。
【発明を実施するための最良の形態】
【００１２】
図１はシステムキッチンのカウンタトップ(図示せず)に落とし込むようにして設置するドロップイン式のガスコンロを示している。このコンロのコンロ本体１には、前側の左右２個と後側の１個の計３個のコンロバーナ２と、グリル３とが配置されている。各コンロバーナ２とグリル３に設ける図外のグリルバーナはガスバーナで構成される。
【００１３】
コンロ本体１の上面を覆う天板４には、これら各コンロバーナ２を臨ませる開口が形成されている。そして、天板４に、各開口を囲うように五徳５を載置すると共に、天板４の後部に、グリル３用の排気口４ａを形成している。尚、右側のコンロバーナ２は、五徳５上の調理容器の底面に当接してその温度を検出する鍋底温度センサ２ａを付設した外炎式バーナで構成され、左側と後側のコンロバーナ２は、環状のバーナ本体に内向きの炎孔を設けた内炎式バーナで構成されている。
【００１４】
カウンタトップの下方で前方に露出するコンロ本体１の前面部分には、グリル扉３ａとその左右の前面パネル６，６とが設けられている。
【００１５】
右側の前面パネル６には、グリルバーナと右側のコンロバーナ２の点消火操作を行う２つの押しボタン７,７が並設されると共に、両押しボタン７，７の配置部より下方に位置させて、前面パネル６の前方に出没自在な操作盤８が配置され、更に、右側のコンロバーナ２用の押しボタン７より上方に位置する右側のコンロバーナ２用の火力調節レバー９が配置されている。同様に、左側の前面パネル６にも、左側のコンロバーナ２と後側のコンロバーナ２の点消火操作を行う２つの押しボタン７，７が並設されると共に、両押しボタン７，７の配置部より下方に位置させて、前面パネル６の前方に出没自在な操作盤８が配置され、更に、各押しボタン２より上方に位置する左側と後側の各コンロバーナ２用の火力調節レバー９が配置されている。
【００１６】
尚、各前面パネル６は、図２に示す如く、樹脂製のパネル本体６１と、火力調節レバー９の配置部上方のパネル本体６１の部分の前面及び押しボタン７の配置部と操作盤８との間のパネル本体６１の部分の前面とに取付けたアルミニウム等の金属で形成される上下一対の飾り板６２，６２´とで構成されている。
【００１７】
各押しボタン７は、図２に示す如く、前面パネル６のパネル本体６１に開設した透孔６３に臨むボタン本体部７１と、前面パネル６の背面側でボタン本体部７１から下方に延出されたレバー部７２と、レバー部７２の下端部の横方向両側に突設した軸部７３とを備えている。そして、下側の飾り板６２´の背面側に位置するパネル本体６１の部分にレバー部７２を横方向両側から挟むブラケット部６４を形成し、このブラケット部６４に各押しボタン７を軸部７３において揺動自在に軸支させている。かくして、各押しボタン７のボタン本体部７１は、非押し込み位置(図２の実線示の位置)と押し込み位置(図２の仮想線示の位置)との間で軸部７３を支点にして前後方向に円弧運動する。尚、パネル本体６１には、押しボタン７の上端の移動軌跡に沿って後方にのびる円弧状のカバー部６５が形成されている。
【００１８】
コンロ本体１内には、各押しボタン７の後方に位置させて各バーナ用のガスバルブ１０が配置されている。ガスバルブ１０には、各押しボタン７の背面に取付けた金具７４に当接する操作部１０１が付設されている。そして、各押しボタン７のボタン本体部７１を押し込み位置に押し込んだとき、操作部１０１が後方の点火位置に押動されてガスバルブ１０が開弁され、対応するバーナに点火される。ここで、操作部１０１には図示省略したプッシュプッシュ機構が組み付けられている。そして、各押しボタン７のボタン本体部７１を押し込み位置で再度押すと、操作部１０１の点火位置での係止が解除されて、操作部１０１が図外の戻しばねにより前方の消火位置に戻り、ボタン本体部７１が非押し込み位置に押し戻されると共に、ガスバルブ１０が閉弁して対応するバーナが消火される。
【００１９】
操作盤８は、前面パネル６に下端の軸８１で前後方向に揺動自在に軸支される揺動枠８２に取付けられており、揺動枠８２の前方への揺動で操作盤８が前面パネル６の前方に突出する。右側の前面パネル６に配置する操作盤８には、図３に示す如く、右側のコンロバーナ２による加熱モードの設定や加熱温度等の設定、各コンロバーナ２の加熱時間の設定等を行う各種操作スイッチ８ａと表示部８ｂとが設けられている。また、左側の前面パネル６に配置する操作盤８には、図示しないが、グリル用の各種操作スイッチと表示部とが設けられている。
【００２０】
また、本実施形態においては、各押しボタン７のボタン本体部７１が非押し込み位置に存する状態でボタン本体部７１の前面が透孔６３の周囲の前面パネル６の部分(パネル本体６１)の前面とほぼ面一になるようにしている。これにより、押しボタン７と前面パネル６との連続感が得られ、コンロ前面がスッキリした感じになって体裁が良好になる。また、操作盤８を前面パネル６の前方に突出させたときに、操作盤８が押しボタン７の下に隠れることなく全面的に上方に露出し、操作盤８の操作性も良好に確保される。尚、非押し込み位置でボタン本体部７１の前面が全面に亘って鉛直であると、非押し込み位置でボタン本体部７１の前面に斜め上方から指を押し当てたときに指が滑る可能性がある。そこで、ボタン本体部７１の前面の一部に斜め上向きに傾斜した指当て部７５を形成し、指が滑ることを防止できるようにしている。
【００２１】
ところで、押しボタン７の軸部７３がボタン本体部７１より上方に位置していると、ボタン本体部７１の押し込みに伴い指当て部７５の角度が次第に鉛直方向に近付いて、ボタン本体部７１に対し斜め上方から押し当てる指が下方に滑り易くなり、ボタン本体部７１を押し込み位置まで押し込むことが困難になる。そのため、ボタン本体部７１の前面下部を前方に大きく突出させて、指の滑りを防止することが必要になり、非押し込み位置でボタン本体部７１の前面と前面パネル６の前面とを面一にすることは不可能になる。
【００２２】
これに対し、本実施形態では、ボタン本体部７１の非押し込み位置からの押し操作によりボタン本体部７１がそれより下方の軸部７３を支点にして後方に倒れるように動くため、指当て部７５の鉛直方向に対する角度が押し込みに伴い増加する。従って、ボタン本体部７１の前面下部を前方に大きく突出させなくても、ボタン本体部７１の前面の一部に指当て部７５を形成することで、ボタン本体部７１を非押し込み位置から押し込み位置まで確実に押し操作することができる。その結果、非押し込み位置でボタン本体部７１の前面の指当て部７５を除く部分が前面パネル６と面一になるようにして、上述の如く体裁を良好にすることができる。
【００２３】
以上、ドロップイン式のガスコンロに本発明を適用した実施形態について説明したが、卓上式のガスコンロにも同様に本発明を適用できる。また、上記実施形態では、操作盤８を揺動枠８２に取付けて、揺動枠８２の揺動により操作盤８を前面パネル６の前方に出没させるようにしたが、前面パネルに対し前後方向にスライドする引き出し型の操作盤を設けても良い。更に、操作盤８を具備しないガスコンロにも本発明は適用可能である。また、ボタン本体部７１の前面が非押し込み位置で前面パネル６の前面から若干突出するようにしても良い。
【図面の簡単な説明】
【００２４】
【図１】本発明コンロの実施形態の全体斜視図。
【図２】図１のＩＩ−ＩＩ線で切断した要部の切断側面図。
【図３】図１のコンロの前面パネル部分のバーナ使用状態での斜視図。
【符号の説明】
【００２５】
１…コンロ本体、２…コンロバーナ(ガスバーナ)、６…前面パネル、６３…透孔、７…押しボタン、７１…ボタン本体部、７３…軸部、７５…指当て部、８…操作盤。
【図１】
0004414385.tif 000002
【図２】
0004414385.tif 000003
【図３】
0004414385.tif 000004